(57)【要約】【課題】本発明は、物理デバイスと所定の関連付けられた仮想デバイスとを自動的にリンクして、少なくとも１つのサービスへのアクセスを物理デバイスに提供するシステム（３０２、３０４；４０２、４０６）および方法（１０２、１０４、１０６、１０８、１１０；２０２、２０４、２０６、２０８、２１０）を提供する。【解決手段】  この方法は、所定の仮想デバイスに関連付けられた物理デバイスを製造するステップ（１０２）と、所定の仮想デバイスと通信するための実質的に除去不可能な通信識別子を物理デバイスに付けるステップ（１０４）とを含む。通信識別子は、通常、インターネットなどの情報空間を介した通信を容易にする。
2005535001.tif 000002
【特許請求の範囲】
【請求項１】
物理デバイスと所定の関連付けられた仮想デバイスとの自動リンクを提供するシステム（３０２、３０４）であって、
前記物理デバイス（３０２）であって、実質的に除去不可能な通信識別子（３０６）を、該物理デバイス（３０２）の容易にアクセス可能な位置に有し、該通信識別子（３０６）が、前記所定の関連付けられた仮想デバイス（３０４）との通信を容易にし、該物理デバイス（３０２）が、少なくとも１つの所定のサービスを受け取ることができるように配置される前記物理デバイス（３０２）と、
前記所定の仮想デバイス（３０４）であって、前記通信識別子（３０６）を使用して前記物理デバイス（３０２）によりアクセス可能であるように配置されて、前記物理デバイス（３０２）によりアクセスされると、少なくとも１つの所定のサービスを提供する前記所定の仮想デバイス（３０４）と
を備える自動リンクを提供するシステム。
【請求項２】
前記物理デバイス（３０２）は、情報空間を介して、前記所定の仮想デバイス（３０４）と通信する
請求項１に記載の自動リンクを提供するシステム。
【請求項３】
前記情報空間は、インターネットである
請求項２に記載の自動リンクを提供するシステム。
【請求項４】
物理デバイスに電子サービスを自動的に提供するシステム（４０２、４０４、４０６）であって、
実質的に除去不可能な通信識別子を有する前記物理デバイス（４０２）と、
前記物理デバイス（４０２）の容易にアクセス可能な位置に配置されて、前記物理デバイス（４０２）が、所定の関連付けられたアバタ（４０６）と通信して少なくとも１つのサービスを要求することを容易にする、前記通信識別子（４０４）と
を備える物理デバイスに電子サービスを自動的に提供するシステム。
【請求項５】
前記所定の関連付けられたアバタ（４０６）は、前記要求を受信すると、前記少なくとも１つのサービスを起動する
請求項４に記載の物理デバイスに電子サービスを自動的に提供するシステム。
【請求項６】
前記所定の関連付けられたアバタ（４０６）は、前記要求を受信すると、一揃えの所定のサービスを提供する
請求項４に記載の物理デバイスに電子サービスを自動的に提供するシステム。
【請求項７】
前記物理デバイス（４０２）は、前記通信識別子（４０４）を利用して、前記所定の関連付けられたアバタとインターネットを介して通信する
請求項４に記載の物理デバイスに電子サービスを自動的に提供するシステム。
【請求項８】
前記物理デバイス（４０２）によって利用されて、前記所定の関連付けられたアバタ（４０６）にアクセスするように配置される中間デバイス（４０８）
をさらに含み、
該中間デバイス（４０８）を利用して、前記物理デバイス（４０２）は、前記所定の関連付けられたアバタ（４０６）に接続される
請求項４に記載の物理デバイスに電子サービスを自動的に提供するシステム。
【請求項９】
実質的に除去不可能な通信識別子を有する物理デバイスに電子サービスを自動的に提供する方法（２０２、２０４）であって、
実質的に除去不可能な通信識別子を有する物理デバイスを製造すること（２０２）と、
ユーザによって、前記通信識別子を利用すること（２０４）であって、それによって、所定の関連付けられたアバタと通信して少なくとも１つのサービスを要求する、前記通信識別子を利用すること（２０４）と
を含む物理デバイスに電子サービスを自動的に提供する方法。
【請求項１０】
前記所定の関連付けられたアバタによって、少なくとも１つの所定のサービスを自動的に起動すること（２０６）
をさらに含む請求項９に記載の物理デバイスに電子サービスを自動的に提供する方法。
【発明の詳細な説明】
【技術分野】
【０００１】
［関連出願の相互参照］
本発明は、同じ発明者であるCharles M. Patton、Stephen A. Loughran、およびRajeev K. Pandeyによる、本特許出願と同時に出願された整理番号第１００１３４４６号および第１００１３４４７号の特許出願に関連している。
【０００２】
［発明の背景］
従来、デバイスは、自立するように製造されていた。
すなわち、デバイスは、製造会社から出荷される際に最終形態となるように製造されていた。
ソフトウェアの実施が、ハードウェアの実施よりも高価でなくなるにつれて、製造会社は、更新されたソフトウェアをデバイスに再ロードすることによって更新することができるデバイスを大量に製造することが、費用効率が高くなることに気付いた。
同時に、更新されたソフトウェアを利用するデバイスが多くなるにつれて、電話またはインターネットを介してソフトウェアをダウンロードすることが便利となってきた。
【０００３】
デバイスが進歩し続けるにつれて、今や物理デバイスおよび仮想デバイスからなる２部分デバイスが必要とされてきた。
仮想デバイスが、新たな所有者への所有権の譲渡を行うことができ、かつ、物理デバイスに追加サービスを提供できるように、物理デバイスは、仮想デバイスと相互作用を行う必要がある。
このようなシステムの連係を容易にするには、物理デバイスに関連付けられた仮想デバイスを、便利で使いやすい方法で物理デバイスにリンクできることが必要となる。
したがって、物理デバイスが、関連付けられた仮想デバイスと通信するための恒久的なインターネットアドレスを有することが必要となる。
なお、このアドレスは、ユーザによって容易に確認できるものである。
【０００４】
［発明の概要］
本発明は、物理デバイスと所定の関連付けられた仮想デバイスとの自動リンクを提供するシステムおよび方法を包含する。
所定の仮想デバイスに関連付けられた物理デバイスが製造され、この物理デバイスには、所定の仮想デバイスと通信するための実質的に除去不可能な通信識別子が付けられる。
【０００５】
［好ましい実施の形態の詳細な説明］
本発明は、物理デバイスを、所定の関連付けられた仮想デバイスと自動的にリンクして、サービスを取得する方法を提供する。
この方法は、所定の仮想デバイスに関連付けられた物理デバイスを製造するステップと、所定の仮想デバイスと通信するための実質的に除去不可能な通信識別子を物理デバイスに付けるステップとを含む。
通常、これらの物理デバイスおよび所定の仮想デバイスは、インターネットなどの情報空間を介して通信する。
【０００６】
別の実施の形態では、実質的に除去不可能な通信識別子を有する物理デバイスに電子サービスを自動的に提供する方法が、実質的に除去不可能な通信識別子を有する物理デバイスを製造すること、その後に、ユーザによって、この通信識別子を利用し、所定の関連付けられたアバタと通信して少なくとも１つのサービスを要求することとによって実施される。
【０００７】
また、本発明は、物理デバイスを、所定の関連付けられた仮想デバイスと自動的にリンクするシステムも提供する。
この物理デバイスは、容易にアクセス可能な位置に、実質的に除去不可能な通信識別子を有し、その結果、この通信識別子を使用して、所定の関連付けられた仮想デバイスとの通信を容易にすることができる。
通信識別子を使用して、物理デバイスと所定の関連付けられた仮想デバイスとの間の通信が容易になると、物理デバイスは、少なくとも１つの所定のサービスを、所定の関連付けられた仮想デバイスを介して受け取ることができる。
【０００８】
別の実施の形態では、本発明は、実質的に除去不可能な通信識別子を有する物理デバイスに電子サービスを自動的に提供するシステムを提供する。
この通信識別子は、物理デバイスの容易にアクセス可能な位置に配置される。
この通信識別子を使用することにより、物理デバイスが所定の関連付けられたアバタと通信して、少なくとも１つのサービスを要求することが容易になる。
要求が受信されると、少なくとも１つサービスを起動することもできるし、あるいは、複数のサービスが利用可能であることが示されている場合に、ユーザは、物理デバイス用の所望のサービスを選択することができる。
【０００９】
本発明は、ある特定の物理デバイスがその現在の物理的な場所から独立しても依然として有効である当該特定の物理デバイスに関連付けられたサービスのローカルな発見を行う。
このように、関連付けられた仮想デバイスを有する物理デバイスの購入者は、関連付けられた仮想デバイスを介してサービスが取得される物理デバイスを容易に環境設定することができる。
【００１０】
共有ネットワークプリンタでは、ユーザが、ネットワークリスト上でプリンタを容易に特定できるように、ラベルがテープで貼られて、プリンタのネットワークアイデンティティを示すことが頻繁に行われることがある。
しかしながら、このようなラベルは、永久に有効であることはできない。
例えば、このようなラベルは、プリンタを、ある物理的な場所から別の物理的な場所に移動させることにより無効になることがある。
また、プリンタが、ある場所から別の場所に移動されると、プリンタは、ネットワーク管理者が、その新たな場所用にプリンタをセットアップすることを必要とすることがある。
【００１１】
時に、パーソナルコンピュータには、ラベルが付けられることがある。
このようなラベルは、時に、さまざまな場所に対して依然として有効な場合があるが、それらのラベルは、ラベルを有効にするように環境設定される必要がある。
環境設定を行う必要があるデバイスは、その環境設定を失うおそれがあり、したがって再環境設定が必要となることがある。
いくつかの実施の形態では、ビーコンなどの形で動的なラベルを設けることができるが、このような方法では、デバイスの保守に関連したコストが増加し、このような保守のローカル管理の複雑度が増加する。
【００１２】
物理デバイスは、例えば、個人情報端末、パーソナルコンピュータ、プリンタ、スキャナ、携帯電話などのデバイスであってもよいし、時計、（卓上）電話、家電機器、台所用機器などのネットワークに接続される頻度の少ないデバイスであってもよい。
統一資源識別子（ＵＲＩ（Uniform Resource Identifier）、時にＵＲＬとしても知られている）は、文書、画像、ダウンロード可能なファイル、サービス、電子メールボックスなどのウェブの１つまたは複数の資源を特定する一般に短い文字列である。
これらの資源は、さまざまな命名方式およびアクセス方法の下で利用可能にすることができる。
アクセス方法には、ハイパーテキスト転送プロトコル（ＨＴＴＰ）、ファイル転送プロトコル（ＦＴＰ）、インターネットメールアドレスなどがある。
「デバイスアバタ（device avatar）ＵＲＩ」は、公に見ることができて恒久的に付けられた、人間および／または機械可読ラベルを介して、選択された仮想デバイス（アバタとも呼ばれる）に関連付けられた物理デバイスの通信パスを提供するために使用できる統一資源指示子として定義される。
通常、このようなラベルは、物理デバイスの製造中にその物理デバイスに付けることができる。
【００１３】
本発明は、デバイスアバタのサービス位置の不変性を、通常は製造時にデバイスに付けられる人間および／または機械可読ラベルと結合する方法およびシステムを提供する。
本発明により提供される結合は、位置に独立したものであり、普遍的に理解可能であり、かつ、環境設定もローカル保守も必要としない。
【００１４】
技術が進歩するにつれて、物理デバイスとサービスを提供する仮想デバイスとの新たな結合を容易にする技術的な解決法が必要とされる。
特定の物理デバイスに関連付けられて、その物理デバイスにサービスを提供するこのような仮想デバイスは、デバイスアバタと呼ばれる。
本発明は、物理デバイスと、物理デバイスに関連付けられた仮想対応物であるデバイスアバタとの間の通信を容易にする。
物理デバイスが、情報空間において、その物理デバイスに関連付けられたデバイスアバタの位置を特定することを可能にする通信識別子を物理デバイスに付けることにより、各物理デバイスは、必要以上に困難を伴うことなく、その関連付けられた仮想デバイスと相関される。
【００１５】
ユーザは、物理デバイスに利用可能なサービスの探索または更新を行うのに、誤った場所に置かれているか、または、紛失されているかもしれない書面による文書を探し出す必要はない。
物理デバイスは、一定でもなく、一見して特定することもできないアドレスを有することがあるが、本発明は、関連付けられたアバタのＵＲＩを実質的に除去不可能な形で物理デバイスに付けることができる。
その結果、物理デバイスは、ＵＲＩを使用して、関連付けられたデバイスアバタと通信し、サービスを得ることができる。
一実施の形態では、ＵＲＩは、デバイスのケースまたは外部カバーに成形することができる。
一方、ＵＲＩは、デバイスへの塗装、リベット留めされたネームプレートへの配置なども行うことができる。
【００１６】
図１に示すように、本発明は、物理デバイスと、所定の関連付けられた仮想デバイスとを自動的にリンクして、この物理デバイス用のサービスの取得を容易にする方法を提供する。
この方法は、所定の仮想デバイスに関連付けられた物理デバイスを製造するステップ１０２と、所定の仮想デバイスと通信するための実質的に除去不可能な通信識別子を物理デバイスに付けるステップ１０４とを含む。
通常、物理デバイスは、インターネットなどの情報空間を介して所定の仮想デバイスと通信する。
物理デバイスが所定の仮想デバイスと通信している時、所定の仮想デバイスは、少なくとも１つの所定のサービス（１０６）、あるいは、一揃えのサービス（１０８）を提供することができる。
一般に、一揃えのサービスが提供される場合に、ユーザは、所望の数のサービスを選択することができる（１１０）。
【００１７】
物理デバイスの中には、一揃えのサービスの準備を許可するように環境設定されていないものが存在することがある。
このような場合、中間デバイスを利用して、物理デバイスが所定の仮想デバイスと通信することを可能にすることができる（１１２）。
例えば、コンソールまたはコンピュータを物理デバイスに接続することができ、物理デバイスに設けられたＵＲＩなどの通信識別子を入力するのに使用することができる。
次いで、コンソールまたはコンピュータは、関連付けられた仮想デバイスと通信し、１つまたは複数のどのサービスが利用可能であるかを判断し、それら１つまたは複数のサービスを物理デバイスと通信させる。
接続は、無線であってもよいし、有線であってもよいことは明らかである。
【００１８】
通信識別子には、任意の適切な命名方式を利用することができる。
例えば、ハイパーテキスト転送プロトコルの命名方式、ファイル転送プロトコルの命名方式、またはインターネットメールアドレスの命名方式を使用することができる。
【００１９】
図２は、本発明の別の実施の形態を示している。
この実施の形態において、実質的に除去不可能な通信識別子を有する物理デバイス用の電子サービスを自動的に提供する方法は、実質的に除去不可能な通信識別子を有する物理デバイスを製造するステップ２０２と、ユーザによって、通信識別子を利用し、所定の関連付けられたアバタと通信して少なくとも１つのサービスを要求するステップ２０４とを含む。
この所定の関連付けられたアバタは、一般に、物理デバイスを特定して物理デバイスに少なくとも１つのサービスを提供するようにプログラミングされている仮想ユニットとすることができる。
【００２０】
一実施の形態では、この所定の関連付けられたアバタは、少なくとも１つの所定のサービスを自動的に起動することができる（２０６）。
また、通信識別子を利用して、所定の関連付けられたアバタと通信する際に、所定の関連付けられたアバタは、サービスの所定のリストから一揃えのサービスを提供することができる（２０８）。
ユーザは、通常、少なくとも１つの所望のサービスを選択することができる（２１０）。
例えば、物理デバイスが携帯電話である場合に、ユーザが、自身の電子メールメッセージを特定のプリンタで印刷することを選択できるように、仮想ユニットを配置することができる。
【００２１】
好ましい実施の形態では、物理デバイスは、通信識別子を利用して、所定の関連付けられたアバタとインターネットを介して通信することができる（２１２）。
この場合も、必要に応じて、中間デバイスを利用して、物理デバイスを所定の関連付けられたアバタに接続することができる（２１４）。
代表的な中間デバイスは、コンソールまたはコンピュータである。
【００２２】
通信識別子は、一般に、統一資源識別子（ＵＲＩ）である。
ＵＲＩは、資源を特定する簡単で拡張可能な方法を提供する。
ＵＲＩは、後述する説明を使用して特徴付けられる。
【００２３】
「統一（Uniform）」によって、さまざまな型の資源識別子を、たとえそれらの資源へのアクセスに使用されるメカニズムが異なる場合であっても、同じ状況において使用することが可能になる。
さまざまな型の資源識別子全体にわたって共通した構文の慣行の統一的な意味解釈を使用することができる。
既存の識別子が使用される方法を妨げることなく、新たな型の資源識別子を導入することができる。
また、新しいアプリケーションまたはプロトコルが、広く使用されている既存の多数の組の資源識別子を利用できるように、多くの異なる状況において識別子を再利用することもできる。
【００２４】
「資源」は、個を特定できるあらゆるものである。
代表的な資源には、電子文書、画像、サービス（レポートなど）などが含まれる。
資源の中には、人間、企業、教科書などのように、ネットワーク「検索可能」でないものがあるが、それらについても資源とみなされる。
資源は、通常、１つの実体または１組の実体への概念的な写像であり、必ずしもある特定の時点でその写像に対応している実体であるとは限らない。
したがって、たとえ、資源の内容、すなわちその時点で対応している実体が、時間の経過と共に変化しても、その過程において概念的写像が変更されない限り、資源は、不変であり続けることができる。
【００２５】
「識別子」は、個を特定できるある物への参照として機能できるオブジェクトである。
したがって、ＵＲＩの場合、オブジェクトは、限定的な構文に従う文字列である。
【００２６】
ＵＲＩは、さらに、位置指定子（locator）、名前、またはその双方として説明することもできる。
「統一資源位置指定子」（ＵＲＬ（Uniform Resource Locator））という用語は、ＵＲＩの部分集合をいい、この部分集合は、資源の主要なアクセスメカニズムの表現またはネットワークにおける「位置（location）」の表現を使用して資源を特定するものである。
「統一資源名」（ＵＲＮ（Uniform Resource Name））は、ＵＲＩの部分集合であり、この部分集合は、たとえその資源が消滅したり利用不可能となったりしても、グローバルに一意かつ永続的であり続けることが要求される。
【００２７】
ＵＲＩは、選択された方式を使用する名前空間の識別子の構文および意味をさらに制限することがある。
例えばハイパーテキスト転送プロトコル、ファイル転送プロトコル、インターネットメールアドレスなど機能し得るあらゆる命名方式を通信識別子として使用することができる。
一方、多くの資源識別子方式は、プロトコルの名をとって命名されているが、これは、そのＵＲＬの資源にアクセスする方法が、その命名の基になったプロトコルを介してしか行われないということを意味するものではない。
【００２８】
図３に示すように、本発明は、物理デバイス３０２および所定の関連付けられた仮想デバイス３０４の自動リンクを提供するシステムによって実施することができる。
一般に、このシステムは、物理デバイスおよび所定の関連付けられた仮想デバイスを含む。
物理デバイスは、当該物理デバイスの容易にアクセス可能な位置に、実質的に除去不可能な通信識別子３０６を有し、その結果、ユーザは、通信識別子を読み出すことができるか、または、通信識別子を読み出す機械を使用することができる。
ＵＲＩなどの通信識別子を使用することにより、所定の関連付けられた仮想デバイスと通信することができる。
物理デバイスは、少なくとも１つの所定のサービスを受け取ることができるように配置される。
所定の仮想デバイスは、物理デバイスが通信識別子を使用することによりアクセス可能であるように配置され、かつ、物理デバイスによりアクセスされると、少なくとも１つのサービスを提供するように配置される。
通信は、一般に、インターネットなどの情報空間を介して行われる。
【００２９】
あるいは、システムは、ユーザが、好みに応じて２つ以上のサービスを選択できるように、所定の仮想デバイスに一揃えの所定のサービスを提供させるように配置することもできる。
【００３０】
システムは、物理デバイスと所定の仮想デバイスとの間の通信を容易にするように配置された例えばコンソールやコンピュータなどの中間デバイス３０８をさらに含むこともできる。
この中間デバイス３０８は、要望に応じて、物理デバイス３０２および／または所定の関連付けられた仮想デバイス３０４との無線通信または有線通信を利用するように配置することができる。
通信識別子は、通常、例えばハイパーテキスト転送プロトコルの命名方式、ファイル転送プロトコルの命名方式、インターネットメールアドレスの命名方式など、所望の命名方式による統一資源識別子とすることができる。
【００３１】
所定の関連付けられた仮想デバイス３０４は、例えば、サーバやデータベースなどとすることができ、物理デバイス３０２に関連した情報と、当該物理デバイス３０２に関連付けられた所定の仮想デバイス３０４に関連した情報とを記憶し、かつ、一般にこれらの情報の検索を容易にする。
【００３２】
図４は、実質的に除去不可能な通信識別子４０４を有する物理デバイス４０２に電子サービスを自動的に提供するシステムの別の実施の形態を示している。
物理デバイス４０２は、実質的に除去不可能な通信識別子４０４を有する。
通信識別子４０４は、一般に、物理デバイス４０２の容易にアクセス可能な位置に配置される。
この通信識別子４０４を使用することにより、物理デバイス４０２が所定の関連付けられたアバタと通信して、少なくとも１つのサービスを要求することを容易にすることができる。
ユーザは、通信識別子４０４を利用して、所定の関連付けられたアバタ４０６に要求を送信する。
次いで、アバタ４０６は、少なくとも１つの所定のサービスを起動する。
例えば、ＵＲＩを物理デバイス４０２のケースに成形することができる。
物理デバイス４０２が、例えば、個人情報端末（ＰＤＡ）である場合に、ユーザは、ＵＲＩをＰＤＡに入力し、次いで、ＰＤＡは、自身を所定の関連付けられたアバタ４０６に接続する。
ユーザは、ＰＤＡの購入時に、所定の関連付けられたアバタ４０６のサービスの指示、使用、ＰＤＡから選択したプリンタへの情報の印刷などのサービス機能を取得していることがある。
あるいは、ユーザは、関連付けられたアバタ４０６を介して一揃えの複数のサービスにアクセスでき、かつ／または、当該サービスを起動できることもあるし、すでに購入している１つまたは複数のサービスに対する追加サービスを選択して起動できることもある。
一実施の形態では、ユーザは、通信識別子４０４を使用して、所定の関連付けられたアバタ４０６とインターネットを介して通信することができる。
【００３３】
例えば、物理デバイス４０２を、所定の関連付けられたアバタ４０６に直接接続するように環境設定できない場合に、例えばコンソールやコンピュータなどの中間デバイス４０８は、物理デバイス４０２と通信し、通信識別子４０４を使用して、所定の関連付けられたアバタ４０６と通信するように配置することができる。
例えば、物理デバイス４０２がプリンタである場合に、このプリンタは、当該プリンタに関連付けられた所定のアバタ４０６と直接通信する機能を有さないことがある。
この場合、このプリンタは、コンソールやコンピュータなどの中間デバイス４０８と通信するように配置することができ、次いで、中間デバイス４０８は、通信識別子４０４を使用して、所定の関連付けられたアバタ４０６と通信する。
この場合も、所定の関連付けられたアバタ４０６を使用して、所望のサービスを選択して起動することができる。
【００３４】
所定の関連付けられたアバタ４０６は、例えば、サーバやデータベースなどとすることができ、物理デバイス４０２に関連した情報、および、当該物理デバイス４０２に関連付けられた所定のアバタ４０６に関連した情報とを記憶し、かつ、一般にこれらの情報の検索を容易にする。
【００３５】
上記実施の形態と同様に、通信識別子は、通常、例えばハイパーテキスト転送プロトコルの命名方式、ファイル転送プロトコルの命名方式、インターネットメールアドレスの命名方式など、所望の命名方式による統一資源識別子とすることができる。
【００３６】
以上のように、本発明による、物理デバイスと、関連付けられた仮想デバイスとの間のサービス配信を容易にするための方法およびシステムを説明してきた。
本明細書で説明および例示した技術および構造に対して、本発明の精神および範囲から逸脱することなく多くの変更および変形を行うことができる。
したがって、本明細書で説明した方法およびシステムは、例示にすぎず、本発明の範囲を限定するものでないことが理解されるべきである。
【図面の簡単な説明】
【００３７】
【図１】本発明の方法の一実施の形態によるステップの一実施の形態を示すフローチャートである。
【図２】本発明の方法によるステップの別の実施の形態を示すフローチャートである。
【図３】本発明によるシステムの一実施の形態を示すブロック図である。
【図４】本発明によるシステムの別の実施の形態を示すフローチャートである。
【符号の説明】
【００３８】
３０２，４０２・・・物理デバイス、
３０４・・・仮想デバイス、
３０６，４０４・・・通信識別子、
３０８，４０８・・・中間デバイス、
４０６・・・アバタ、
【図１】
2005535001.tif 000003
【図２】
2005535001.tif 000004
【図３】
2005535001.tif 000005
【図４】
2005535001.tif 000006
【国際調査報告】
2005535001.tif 000007